(57)【要約】【課題】横置き型の装置構成としながら、高いアンテナ利得及び高い方位分解能を実現し得るレーダ装置を提供すること。【解決手段】電磁波の送信方向となる前方向に窓部６ａを有する筐体６と、筐体６内に配設され、一方の基板面を前方向に向ける第１の基板部１ａと、基板面が前方向に沿って延在する第２の基板部１ｂと、を有する回路基板１と、回路基板１内の前方向側の領域において、前方向と交差する方向に沿ってアレー状に配設された複数のアンテナ素子２ａ〜２ｄ、３ａ〜３ｄによって構成されたアンテナ部２、３と、筐体６の窓部６ａにおいて、複数のアンテナ素子２ａ〜２ｄ、３ａ〜３ｄのアレー方向に沿って延在するように配設された、前方向に凸の半円筒形状又は放物筒形状の誘電体レンズ７と、を備える。【選択図】図３
2020060483.tif 000002
【特許請求の範囲】
【請求項１】
電磁波の送信方向となる前方向に窓部を有する筐体と、
前記筐体内に配設され、一方の基板面を前記前方向に向ける第１の基板部と、基板面が前記前方向に沿って延在する第２の基板部と、を有する回路基板と、
前記第１の基板部の前記前方向側の基板面内において、前記前方向と交差する方向に沿ってアレー状に配設された複数のアンテナ素子によって構成され、前記窓部を介して前記筐体外に前記電磁波を送信すると共にその反射波を受信するアンテナ部と、
前記筐体の前記窓部において、前記複数のアンテナ素子のアレー方向に沿って延在するように配設された、前記前方向に凸の半円筒形状又は放物筒形状の誘電体レンズと、
を備えるレーダ装置。
【請求項２】
前記複数のアンテナ素子は、それぞれ、前記回路基板内に形成された導体パターンによって構成されている、
請求項１に記載のレーダ装置。
【請求項３】
前記複数のアンテナ素子は、それぞれ、パッチアンテナである、
請求項２に記載のレーダ装置。
【請求項４】
前記複数のアンテナ素子それぞれから送信する前記電磁波の位相の制御により、前記筐体外に送信する前記電磁波の送信方向を変化させる信号処理部を更に備える、
請求項１乃至３のいずれか一項に記載のレーダ装置。
【請求項５】
前記信号処理部は、前記第１の基板部の後面側に実装され、前記アンテナ部と電気的に接続された、
請求項４に記載のレーダ装置。
【請求項６】
前記第１の基板部において前記アンテナ部の背面側に配設され、前記アンテナ部が送信する前記電磁波のバックローブを反射する反射部を更に備える、
請求項１乃至５のいずれか一項に記載のレーダ装置。
【請求項７】
前記第１の基板部は、前記第２の基板部の基板面の前後方向における中間位置よりも、前記前方向側に配設されている、
請求項１乃至６のいずれか一項に記載のレーダ装置。
【請求項８】
前記電磁波の送信方向に対応する前後方向、及び、前記回路基板の基板面の法線方向に対応する上下方向を基準として、
前記筐体の前記前後方向における長さは、前記筐体の前記上下方向における長さよりも長い、
請求項１乃至７のいずれか一項に記載のレーダ装置。
【請求項９】
前記筐体は、前記回路基板又は当該回路基板に実装された回路部品と熱結合する接続部を有する、
請求項１乃至８のいずれか一項に記載のレーダ装置。
【請求項１０】
前記筐体の前記前方向の領域を覆うように配されたカバー部材を介して、前記電磁波を送信する、
請求項１乃至９のいずれか一項に記載のレーダ装置。
【請求項１１】
前記電磁波の送信方向となる前記前方向が、地面と水平となるように支持されている、
請求項１乃至１０のいずれか一項に記載のレーダ装置。
【請求項１２】
前記回路基板の延在方向と直交する上方向及び下方向を基準として、
前記アンテナ部は、前記筐体内において、前記誘電体レンズの光軸から前記上方向側に偏位した位置に配設され、前記回路基板の延在方向に対して前記下方向側に傾けて前記電磁波を送信する、
請求項１乃至１１のいずれか一項に記載のレーダ装置。
【請求項１３】
前記回路基板の延在方向と直交する上方向及び下方向を基準として、
前記アンテナ部は、前記筐体内において、前記誘電体レンズの光軸から前記下方向側に偏位した位置に配設され、前記回路基板の延在方向に対して前記上方向側に傾けて前記電磁波を送信する、
請求項１乃至１２のいずれか一項に記載のレーダ装置。
【請求項１４】
車両に搭載される、
請求項１乃至１３のいずれか一項に記載のレーダ装置。
【請求項１５】
前記車両の車体天板部に搭載される、
請求項１４に記載のレーダ装置。
【請求項１６】
前記車両の車体底部に搭載される、
請求項１５に記載のレーダ装置。
【発明の詳細な説明】
【技術分野】
【０００１】
本開示は、レーダ装置に関する。
【背景技術】
【０００２】
ミリ波やマイクロ波の周波数帯域の電磁波を用いて、非接触で物体（以下、「ターゲット」とも称する）の位置を検知するレーダ用のレーダ装置が知られている。
【０００３】
レーダ装置は、例えば、車載され、前方監視、前側方監視、又は、後側方監視等の多方向の監視用途として用いられている。
【先行技術文献】
【特許文献】
【０００４】
【特許文献１】特表２００８−５０３９０４号公報
【発明の概要】
【発明が解決しようとする課題】
【０００５】
近年、この種のレーダ装置において、レーダ装置の搭載スペースを省スペース化する観点、及びレーダ装置の搭載位置の自由度を確保する観点等から、アンテナ部を実装する回路基板を電磁波の送信方向と平行に配した横置き型のレーダ装置が検討されている。
【０００６】
例えば、特許文献１には、基板上に互いに異なる方向を向く複数のエンドファイアアンテナを放射状に配設することによって、横置き型で、且つ、広範囲の物体検知を実現することが記載されている。
【０００７】
しかしながら、特許文献１に記載のレーダ装置においては、電磁波の送信方向が、各別のエンドファイアアンテナの指向方向に制限されるため、物体検知の際の方位分解能が不十分であるという課題がある。又、特許文献１に記載のレーダ装置においては、アンテナ利得が確保し難いという課題がある。
【０００８】
本開示は、上記問題点に鑑みてなされたもので、横置き型の装置構成としながら、高いアンテナ利得及び高い方位分解能を実現し得るレーダ装置を提供することを目的とする。
【課題を解決するための手段】
【０００９】
前述した課題を解決する主たる本開示は、
電磁波の送信方向となる前方向に窓部を有する筐体と、
前記筐体内に配設され、一方の基板面を前記前方向に向ける第１の基板部と、基板面が前記前方向に沿って延在する第２の基板部と、を有する回路基板と、
前記第１の基板部の前記前方向側の基板面内において、前記前方向と交差する方向に沿ってアレー状に配設された複数のアンテナ素子によって構成され、前記窓部を介して前記筐体外に前記電磁波を送信すると共にその反射波を受信するアンテナ部と、
前記筐体の前記窓部において、前記複数のアンテナ素子のアレー方向に沿って延在するように配設された、前記前方向に凸の半円筒形状又は放物筒形状の誘電体レンズと、
を備えるレーダ装置である。
【発明の効果】
【００１０】
本開示に係るレーダ装置によれば、横置き型の装置構成としながら、高いアンテナ利得及び高い方位分解能を実現することができる。
【図面の簡単な説明】
【００１１】
【図１】第１の実施形態に係るレーダ装置Ｕの車両における配設状態を示す図
【図２】第１の実施形態に係るレーダ装置の側面断面図
【図３】第１の実施形態に係るレーダ装置の正面図
【図４】第１の実施形態に係るレーダ装置を上方から見た図
【図５】第１の実施形態に係るレーダ装置の信号処理ＩＣの構成を示すブロック図
【図６】第２の実施形態に係るレーダ装置の側面断面図
【図７】第３の実施形態に係るレーダ装置の側面断面図
【図８】第４の実施形態に係るレーダ装置の側面断面図
【図９】第４の実施形態に係るレーダ装置の正面図
【図１０】第５の実施形態に係るレーダ装置の側面断面図
【図１１】第６の実施形態に係るレーダ装置の搭載位置の一例を示す図
【図１２】第７の実施形態に係るレーダ装置の構成の一例を示す側面断面図
【図１３】第７の実施形態に係るレーダ装置の構成の一例を示す側面断面図
【発明を実施するための形態】
【００１２】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１３】
各図には、各構成の位置関係を明確にするため、レーダ装置が装置外部に電磁波を送信する前方向（即ち、物体検知の対象となる方向）を基準として、共通の直交座標系（Ｘ、Ｙ、Ｚ）を示している。以下では、Ｘ軸のプラス方向はレーダ装置が装置外部に電磁波を送信する前方向（以下、「前方向」と略称する）を表し、Ｙ軸のプラス方向はレーダ装置の側面右側方向を表し、Ｚ軸のプラス方向はレーダ装置の上方向（以下、「上方向」と略称する）を表すものとして説明する。
【００１４】
（第１の実施形態）
以下、図１乃至図５を参照して、本実施形態に係るレーダ装置の構成の一例について、説明する。尚、以下では、本発明のレーダ装置のより好適な適用対象として、車両に搭載されるレーダ装置を一例として説明する。
【００１５】
図１は、本実施形態に係るレーダ装置Ｕの車両における配設状態を示す図である。
【００１６】
本実施形態に係るレーダ装置Ｕは、例えば、車両Ｃのカバー部材Ｂ（ここでは、バンパ部材Ｂ）内に配設され、当該カバー部材Ｂを介して電磁波の送受信を行う。
【００１７】
図２は、本実施形態に係るレーダ装置Ｕの側面断面図である。図３は、本実施形態に係るレーダ装置Ｕの正面図（第１の基板部１ａの前面側の基板面を正面から見た図）である。図４は、本実施形態に係るレーダ装置Ｕを上方から見た図である。
【００１８】
図２、図３及び図４の実線矢印Ｆは、送信アンテナが送信した電磁波を表している。又、点線矢印Ｆｒは、ターゲットからの反射波を表している。尚、図２、図３及び図４では、車両Ｃ内におけるレーダ装置Ｕを支持する構造の図示は省略している。又、図３では、筐体６の図示は省略している。
【００１９】
本実施形態に係るレーダ装置Ｕは、回路基板１、送信アンテナ２、受信アンテナ３、信号処理ＩＣ４、コネクタ５、筐体６、及び、誘電体レンズ７を備えている。
【００２０】
回路基板１は、送信アンテナ２、受信アンテナ３、信号処理ＩＣ４、及びコネクタ５等が実装される基板である。回路基板１の表面側又は裏面側の基板面内には、送信アンテナ２、受信アンテナ３、信号処理ＩＣ４、及びコネクタ５等が実装されると共に、当該各実装部品（送信アンテナ２、受信アンテナ３、信号処理ＩＣ４、及びコネクタ５等）を互いに電気的に接続する配線（図示せず）がパターン形成されている。
【００２１】
回路基板１は、基板面が上下方向（略Ｚ軸方向）に延在し、一方の基板面を前方に向けるように配設された第１の基板部１ａと、基板面が前後方向（略Ｘ軸方向）に延在するように配設された第２の基板部１ｂと、を有している。換言すると、第１の基板部１ａは、基板面がカバー部材Ｂと対向するように配設されている。一方、第２の基板部１ｂは、基板面の延在方向が、カバー部材Ｂの延在方向に対して交差（例えば、直交）するように配設されている。
【００２２】
第１の基板部１ａは、送信アンテナ２及び受信アンテナ３（ここでは、更に、ミリ波帯域用の信号処理ＩＣ４ａ、４ｂが配設されている）を配設するための基板部である（図３を参照）。一方、第２の基板部１ｂは、送信アンテナ２及び受信アンテナ３以外の回路部品（ここでは、ベースバンド帯域用の信号処理ＩＣ４ｃ、コネクタ５、及び、電解コンデンサ等のその他の部品（図示せず））を配設するための基板部である。尚、第２の基板部１ｂと第１の基板部１ａとは、配線部（図示せず）によって、互いに電気的に接続されている。
【００２３】
つまり、本実施形態に係るレーダ装置Ｕにおいては、回路基板１を第１の基板部１ａと第２の基板部１ｂとで構成することにより、当該レーダ装置ＵのＹ軸方向の占有幅を、送信アンテナ２及び受信アンテナ３を配設するために必要な領域（即ち、第１の基板部１ａの基板面の領域）のみに縮小している。これによって、横置き型のレーダ装置を実現している。
【００２４】
尚、第１の基板部１ａと第２の基板部１ｂの位置関係としては、より好適には、第１の基板部１ａが、第２の基板部１ｂの基板面の前後方向における中間位置よりも、前方向側となる構成とされる。これにより、送信アンテナ２及び受信アンテナ３が電磁波を送受信する際に、第２の基板部１ｂ上に実装された回路部品によって当該電磁波が遮蔽されることを防止することが可能である。
【００２５】
回路基板１の第１の基板部１ａ及び第２の基板部１ｂの材料は、リジッドな基板材料であれば任意の材料であってよく、例えば、平板状のＰＣＢ（Printed Circuit Board）基板を用いることができる。第１の基板部１ａ及び第２の基板部１ｂとしては、多層基板や、信号処理ＩＣ４を内蔵した半導体基板が用いられてもよい。尚、第２の基板部１ｂと第１の基板部１ａとは、互いに電気的に接続されていれば、一体的に形成されてもよいし、別体として形成されてもよい。
【００２６】
送信アンテナ２は、第１の基板部１ａの前面側の基板面内に配設され、前方（プラスＸ方向）に向けて、電磁波を送信する。同様に、受信アンテナ３は、第１の基板部１ａの前面側の基板面内に配設され、回路基板１の前方（プラスＸ方向）からの反射波を受信する。換言すると、送信アンテナ２及び受信アンテナ３は、第１の基板部１ａの基板面の略法線方向に送受信の指向特性を有している。
【００２７】
送信アンテナ２及び受信アンテナ３は、それぞれ、第１の基板部１ａの基板面内に、Ｙ軸方向に沿ってアレー状に配設された複数のアンテナ素子によって構成されている（図３では、Ｙ軸方向に沿って配設された４個のアンテナ素子２ａ、２ｂ、２ｃ、２ｄにより送信アンテナ２が構成され、Ｙ方向に沿って配設された４個のアンテナ素子３ａ、３ｂ、３ｃ、３ｄにより受信アンテナ３が構成されている）。即ち、送信アンテナ２及び受信アンテナ３は、電子走査により電磁波の送信方向（及び受信方向）を変化させるフェーズドアレーアンテナとして構成されている。 
【００２８】
送信アンテナ２及び受信アンテナ３を構成するアンテナ素子２ａ〜２ｄ、３ａ〜３ｄとしては、例えば、第１の基板部１ａの基板面の法線方向に指向特性を有するパッチアンテナが適用される。尚、パッチアンテナのような基板面の法線方向に指向特性を有するアンテナは、基板面内に多数のアンテナ素子を構成することが可能であるため、高い利得の確保が可能である（本実施形態では、説明の便宜として、アンテナ素子２ａ〜２ｄ、３ａ〜３ｄのみを示している）。
【００２９】
但し、送信アンテナ２及び受信アンテナ３としては、回路基板１に形成された導体パターンによって構成されるものであればよく、スロットアンテナ等も適用され得る。
【００３０】
以下では、送信アンテナ２と受信アンテナ３とを「アンテナ部」とも総称する。尚、送信アンテナ２及び受信アンテナ３は、電磁波の送受信において共用されるアンテナによって構成されてもよい。
【００３１】
送信アンテナ２が送信した電磁波は、誘電体レンズ７によって平面波に変換されて、レーダ装置Ｕの装置外部の前方（ここでは、略水平方向）に向けて送出される。又、送信アンテナ２が送信した電磁波が装置外部のターゲットに反射されて戻ってくる反射波は、誘電体レンズ７に集光されて、受信アンテナ３に送出される。尚、送信アンテナ２及び受信アンテナ３は、筐体６の壁部領域のうち電磁波を透過し得る窓部６ａよりも後方に配設されている。
【００３２】
信号処理ＩＣ４（本発明の信号処理部に相当）は、送信アンテナ部２及び受信アンテナ部３との間で電気信号の授受を行い、送信アンテナ部２から電磁波を送信させると共に、受信アンテナ部３が受信した反射波を受信処理する。
【００３３】
信号処理ＩＣ４は、例えば、ＣＰＵ、ＲＯＭ、及びＲＡＭ等からなる周知のマイクロコンピュータを中心に構成され、発振器、送受信処理を行う信号処理回路等を含んで構成される。但し、信号処理ＩＣ４の一部は、ＣＰＵ等を有しない専用のハードウェア回路のみによっても実現できることは勿論である。又、信号処理ＩＣ４の処理の一部は、車両ＥＣＵのような外部機器にて実行されてもよい。
【００３４】
尚、図２、図３及び図４では、信号処理ＩＣ４の一例として、ミリ波帯域に係る信号処理を行う送信アンテナ２用の信号処理ＩＣ４ａ、ミリ波帯域に係る信号処理を行う受信アンテナ３用の信号処理ＩＣ４ｂ、及び、ベースバンド帯域に係る信号処理を行う信号処理ＩＣ４ｃを各別のチップとして示している。
【００３５】
ミリ波帯域に係る信号処理を行う信号処理ＩＣ４ａ、４ｂの配設位置は、送信アンテナ２又は受信アンテナ３と信号処理ＩＣ４ａ、４ｂとの間の配線部の距離を低減するべく、より好適には、図２、図３及び図４に示すように、第１の基板部１ａの後面側の基板面内に設定される。一方、ベースバンド周波数帯域の信号処理を行う信号処理ＩＣ４ｃの配設位置は、任意であって、図４では、第２の基板部１ｂの基板面内に設定されている。
【００３６】
図５は、本実施形態に係るレーダ装置Ｕの信号処理ＩＣ４の構成を示すブロック図である。
【００３７】
本実施形態に係る信号処理ＩＣ４は、例えば、周波数変調連続波（FM-CW：Frequency Modulated Continuous Wave）方式のレーダ装置Ｕを構成する。但し、パルスレーダ方式のレーダ装置Ｕを構成してもよい。
【００３８】
信号処理ＩＣ４は、例えば、制御部４１、送信アンテナ２のアンテナ素子２ａ〜２ｄそれぞれに個別に接続された送信信号生成部４２ａ〜４２ｄ、受信アンテナ３のアンテナ素子３ａ〜３ｄそれぞれに個別に接続された受信信号処理部４３ａ〜４３ｄ、及び、各受信信号生成部４３ａ〜４３ｄから受信処理が施されたターゲットからの反射波に係る受信信号を取得するターゲット位置推定部４４等を備えている。
【００３９】
制御部４１は、例えば、送信信号生成部４２ａ〜４２ｄの動作を制御し、電子走査によって、レーダ装置Ｕから装置外部に送信する電磁波の方向を制御する。送信信号生成部４２ａ〜４２ｄは、例えば、発振器から取得するリファレンス信号を用いて、時間的に周波数が漸増及び漸減を繰り返すように周波数変調処理を施した高周波（例えば、ミリ波周波数帯域）の送信信号を連続的に生成する。そして、送信信号生成部４２ａ〜４２ｄは、当該送信信号に基づいて、自身に接続されたアンテナ素子２ａ〜２ｄに対して当該送信信号を送出し、自身に接続されたアンテナ素子２ａ〜２ｄから周波数変調した電磁波を送信させる。尚、送信信号生成部４２ａ〜４２ｄは、それぞれ、アンテナ素子２ａ〜２ｄから送信させる電磁波の位相を調整することによって、レーダ装置Ｕから装置外部に送信する電磁波（即ち、アンテナ素子２ａ〜２ｄそれぞれから送信させる電磁波の合成波）の方向を変化させる。
【００４０】
受信信号処理部４３ａ〜４３ｄは、例えば、送信信号生成部４２ａ〜４２ｄが生成するローカル信号を用いて、自身に接続されたアンテナ素子３ａ〜３ｄから取得した反射波に係る受信信号に対して、直交検波処理及び周波数解析処理等を行う。
【００４１】
ターゲット位置推定部４４は、各受信信号生成部４３ａ〜４３ｄから受信処理が施されたターゲットからの反射波に係る受信信号を取得して、各アンテナ素子３ａ〜３ｄで受信した反射波の位相差を算出し、これによって、ターゲットの方位を推定する。尚、この際、ターゲット位置推定部４４は、ターゲットまでの距離や相対速度等の検出を行ってもよい。
【００４２】
このように、電子走査によって物体検知の方位推定を行うことによって、特許文献１の従来技術のように指向方向を固定したアンテナを用いた物体検知と比較して、方位推定の分解能を向上させることが可能である。
【００４３】
尚、信号処理ＩＣ４が行う処理は、公知の構成と同様であるため、ここでの詳細な説明は省略する。
【００４４】
コネクタ５は、信号処理ＩＣ４と外部機器（例えば、車両Ｃに搭載された車両ＥＣＵ）とを通信可能に接続する。
【００４５】
筐体６は、回路基板１を収容すると共に、回路基板１の前方において誘電体レンズ７を支持する。筐体６は、典型的には、略密閉状態にて、回路基板１を収容する。
【００４６】
筐体６の外形は、小型化の観点から、例えば、回路基板１の外形に沿った形状（例えば、直方体形状）を呈し、筐体６の前後方向（Ｘ軸方向）の長さは第２の基板部１ｂの前後方向の長さに所定のマージン幅を合計した長さに設定され、筐体６の上下方向（Ｚ軸方向）の長さは第１の基板部１ａの上下方向の長さに所定のマージン幅を合算した長さに設定される。即ち、筐体６の上下方向の長さは、前後方向の長さよりも短くなっている。
【００４７】
筐体６の素材としては、例えば、カバー部材Ｂからの反射波が筐体６内に侵入することを防止する観点、回路基板１からの放熱特性を向上させる観点、及びＥＭＣ性能を向上させる観点等から、金属部材（例えば、アルミ材）が用いられる。但し、筐体６の素材としては、コストや軽量化を重視する場合には樹脂が用いられてもよく、又、筐体６と誘電体レンズ７とが同一の樹脂材料で一体的に形成されてもよい。但し、筐体６の素材としては、誘電体レンズ７よりも熱伝導率が高い材料により構成されるのが好適である。
【００４８】
筐体６の前面には、送信アンテナ２及び受信アンテナ３から電磁波の送受信を行う窓部６ａが形成されており、当該窓部６ａに誘電体レンズ７が装着されている。窓部６ａの径は、例えば、電磁波を送受信の際に所定の利得が得られる開口長（即ち、送信アンテナ２から電磁波を送信する際のビーム幅）に設定されている。
【００４９】
誘電体レンズ７は、回路基板１の前方に支持され、送信アンテナ２が送信した電磁波のビームを絞って、装置外部の前方領域に出射する。そして、誘電体レンズ７は、送信した電磁波がターゲットから戻ってきた反射波を受信アンテナ３に集光する。換言すると、送信アンテナ２及び受信アンテナ３は、それぞれ、誘電体レンズ７の焦点となる位置に配設されている。尚、誘電体レンズ７は、より好適には、送信アンテナ２が送信した電磁波を平面波に変換する程度まで、電磁波のビームを絞る構成とする。
【００５０】
誘電体レンズ７は、送信アンテナ２及び受信アンテナ３が電磁波を送受信する際の利得を向上させると共に、送信アンテナ２及び受信アンテナ３を保護するレドームとしても機能する。又、誘電体レンズ７は、カバー部材Ｂからの反射波が受信アンテナ３に入射することを抑制する。
【００５１】
本実施形態に係る誘電体レンズ７としては、プラスＸ方向が凸で、Ｙ軸方向（即ち、アンテナ素子２ａ〜２ｄ、３ａ〜３ｄのアレー方向）に沿って延在する半円筒形状又は放物筒形状のレンズが用いられている。
【００５２】
半円筒形状又は放物筒形状の誘電体レンズ７は、側面の断面形状が、Ｙ軸方向のいずれの位置でも、略同一の形状を呈する（蒲鉾形状とも称される）。そのため、Ｙ軸方向に沿って配設した送信アンテナ２の複数のアンテナ素子２ａ〜２ｄそれぞれから送信する電磁波が、ターゲットにて反射して受信アンテナ３に到来する際に互いに異なる指向方向を向くことを、抑制することができる（図４を参照）。これによって、反射波の相互干渉又は位相差の変化に起因して、物体検知の精度悪化が発生することを抑制することができる。
【００５３】
尚、誘電体レンズ７を構成する素材は、任意であり、例えば、アクリル樹脂、四フッ化エチレン樹脂、ポリスチレン樹脂、ポリカーボネート樹脂、ポリブチレンテレフタレート樹脂、ポリフェニレン樹脂、ポリプロピレン樹脂、シンジオタクチックポリスチレン樹脂、又は、ＡＢＳ樹脂等が用いられる。
【００５４】
［効果］
以上のように、本実施形態に係るレーダ装置Ｕは、回路基板１の第１の基板部１ａの前方向側の基板面内において、前方向と交差する方向に沿ってアレー状に配設された複数のアンテナ素子２ａ〜２ｄ、３ａ〜３ｄによって構成され、窓部６ａを介して筐体６外に電磁波を送信すると共にその反射波を受信するアンテナ部２、３（典型的には、複数のパッチアンテナによって構成されたフェーズドアレーアンテナ）と、筐体６の窓部６ａにおいて、複数のアンテナ素子２ａ〜２ｄ、３ａ〜３ｄのアレー方向に沿って延在するように配設された、前方向に凸の半円筒形状又は放物筒形状の誘電体レンズ７と、を備えている。
【００５５】
従って、本実施形態に係るレーダ装置Ｕによれば、横置き型の装置構成としながら、アンテナ利得を向上させると共に、方位推定の分解能を向上させることが可能である。又、半円筒形状の誘電体レンズ７を適用しているため、複数のアンテナ素子２ａ〜２ｄから送信された電磁波それぞれの反射波が相互干渉して、レーダ性能を悪化させることも抑制される。
【００５６】
又、本実施形態に係るレーダ装置Ｕによれば、誘電体レンズ７をレドームとして機能させることもできるため、別体のレドームを設けることなく、アンテナ部２、３の防水及び飛来物からの防護を行うことが可能である。又、これによって、別体のレドームを設けた場合と比較して、アンテナ開口面を小さくすることも可能である。
【００５７】
又、本実施形態に係るレーダ装置Ｕによれば、アンテナ部２、３から送信した電磁波がカバー部材Ｂにおいて反射した場合にも、反射波を誘電体レンズ７にてアンテナ部２、３から離れる方向に反射させることができる。又、横置き型とすることによって、カバー部材Ｂからの反射波が筐体６内に侵入し得る領域自体を制限することができる。従って、カバー部材Ｂからの反射波に起因した物体検知の精度悪化も抑制することが可能である。
【００５８】
又、本実施形態に係るレーダ装置Ｕによれば、第１の基板部１ａの後面側に、送信アンテナ２及び受信アンテナ３と電気的に接続された信号処理ＩＣ４ａ、４ｂを実装する。これによって、送信アンテナ２及び受信アンテナ３と信号処理ＩＣ４ａ、４ｂとの間の配線部の距離を低減することができる。従って、配線部におけるアナログ信号の波形の歪みを抑制することが可能であり、Ｓ／Ｎ比の向上に資する。又、配線部における電力損失を低減することもできる。
【００５９】
（第２の実施形態）
次に、図６を参照して、第２の実施形態に係るレーダ装置Ｕの構成の一例について説明する。
【００６０】
図６は、第２の実施形態に係るレーダ装置Ｕの側面断面図である。
【００６１】
本実施形態に係るレーダ装置Ｕは、カバー部材Ｂに対して筐体６等を固定するブラケット８を有する点で、第１の実施形態に係るレーダ装置Ｕと相違する。尚、第１の実施形態と共通する構成については、説明を省略する（以下、他の実施形態についても同様）。  
【００６２】
ブラケット８は、筐体６をカバー部材Ｂに対して固定し、レーダ装置Ｕが電磁波を送受信する方向を規定する。
【００６３】
ブラケット８は、例えば、レーダ装置Ｕを収納する収容部８ａと、カバー部材Ｂに固定される固定部８ｂと、を有している。
【００６４】
収容部８ａは、例えば、筐体６を前面（即ち、誘電体レンズ７が装着されている面）から挿入可能とする筒形状を呈し、筐体６の外形に沿った収納空間を形成する。尚、収容部８ａは、レーダ装置Ｕの前面の誘電体レンズ７を配した領域に、レーダ装置Ｕが電磁波を送受信するための開口を有している。
【００６５】
固定部８ｂは、両面テープやボルト等によりカバー部材Ｂに固定される部位である。尚、固定部８ｂをカバー部材Ｂに対して固定する手法は、任意であり、その他、超音波溶接等が用いられてもよい。
【００６６】
ブラケット８は、かかる構成において、例えば、レーダ装置Ｕの電磁波を送受信する方向が、地面と水平になるように、筐体６をカバー部材Ｂに固定する。これにより、車両Ｃの周囲に存在するターゲットの物体検知を行うことが可能となる。
【００６７】
尚、ブラケット８は、電磁波の送受信方向の角度を可変とする調整機構（例えば、ピンジョイントと固定ピンとを用いる）を有する構成としてもよい。かかる調整機構を用いることで、電磁波の送受信方向の微調整も可能となる。
【００６８】
以上、本実施形態に係るレーダ装置Ｕによれば、機械的安定性を確保しつつ、所望の方向（例えば、地面に対して水平方向）における電磁波の送受信が可能となる。
【００６９】
（第３の実施形態）
次に、図７を参照して、第３の実施形態に係るレーダ装置Ｕの構成の一例について説明する。
【００７０】
図７は、第３の実施形態に係るレーダ装置Ｕの側面断面図である。
【００７１】
本実施形態に係るレーダ装置Ｕは、筐体６が、回路基板１又は当該回路基板１に実装された回路部品と熱結合する接続部６ｂを有する点で、第１の実施形態に係るレーダ装置Ｕと相違する。
【００７２】
図７では、接続部６ｂは、筐体６の壁部と回路基板１とを熱結合した状態を示している。尚、図中の白抜きの矢印Ｔは、回路基板１からの熱流を表している。
【００７３】
本実施形態においては、筐体６を構成する材料としては、例えば、放熱特性の高い金属部材が用いられる。そして、接続部６ｂは、筐体６の壁部と回路基板１又は当該回路基板１に実装された回路部品とを熱結合する。
【００７４】
接続部６ｂの構成は、任意であり、筐体６の壁部と一体的に構成されもよいし、シリコン製のグリース、又はエポキシ樹脂等の接着材等により構成されてもよい。接続部６ａは、その他、パテ状、ラバー状、ゲル状、若しくは、コンパウンド状の部材であってもよい。
【００７５】
本開示に係るレーダ装置Ｕは、筐体６の前面以外の全領域を放熱可能な壁部領域とすることができるため、筐体６の放熱可能な壁部領域を大きく確保することができる。従って、接続部６ｂを用いて筐体６から放熱する構成は、回路基板１からの放熱特性を高める上で、本開示に係るレーダ装置Ｕにおいて、特に効果的である。
【００７６】
以上、本実施形態に係るレーダ装置Ｕによれば、回路基板１等の放熱特性を向上させることが可能である。
【００７７】
（第４の実施形態）
次に、図８、図９を参照して、第４の実施形態に係るレーダ装置Ｕの構成の一例について説明する。
【００７８】
図８は、第４の実施形態に係るレーダ装置Ｕの側面断面図である。図９は、第４の実施形態に係るレーダ装置Ｕの正面図（第１の基板部１ａの前面側の基板面を正面から見た図）である。
【００７９】
本実施形態に係るレーダ装置Ｕは、第１の基板部１ａにおいて送信アンテナ２の背面（即ち、後面側）側に反射部９が配設されている点で、第１の実施形態に係るレーダ装置Ｕと相違する。
【００８０】
反射部９は、送信アンテナ２の背面側にて、送信アンテナ２が送信する電磁波のバックローブを反射する。これにより、送信アンテナ２が送信する電磁波のバックローブは、進行方向が前方側に変換され、送信アンテナ２が送信する電磁波のメインローブＦと合成される（図８の二点鎖線矢印Ｆｔを参照）。
【００８１】
尚、反射部９は、第１の基板部１ａの後面側の基板面内に金属板を貼付して構成されてもよいし、第１の基板部１ａとして多層回路基板が用いられている場合には、多層回路基板の中間層の導電体層又は裏面側の導電体層として構成されてもよい。
【００８２】
反射部９の配設位置は、より好適には、第１の基板部１ａの送信アンテナ２及び受信アンテナ３の背面側の全領域を覆う位置に設定される（図９を参照）。尚、受信アンテナ３の背面側に設けた反射部９は、受信効率を高める効果を有する。
【００８３】
又、反射部９の配設位置は、より好適には、当該反射部９で反射して前方に向かうバックローブＦｔの位相がメインローブＦの位相と略同一となるように、送信アンテナ２の位置から略λｇ／４（但し、λｇは、回路基板１を通過する際の電磁波の実効波長を表す。λｇは、送信アンテナ２が送信する電磁波の自由空間波長をλ０、回路基板１の比誘電率をｅｒとした場合、λｇ  ＝  λ０／ｓｑｒｔ（ｅｒ）により求まる値である）の位置に設定される。
【００８４】
以上、本実施形態に係るレーダ装置Ｕによれば、利得をより向上させることが可能である。
【００８５】
（第５の実施形態）
次に、図１０を参照して、第５の実施形態に係るレーダ装置Ｕの構成の一例について説明する。
【００８６】
図１０は、第５の実施形態に係るレーダ装置Ｕの側面断面図である。
【００８７】
本実施形態に係るレーダ装置Ｕは、第１の基板部１ａと第２の基板部１ｂとが、分離して配設され、フレキシブル配線基板１ｃを介して電気的に接続されている点で、第１の実施形態に係るレーダ装置Ｕと相違する。
【００８８】
フレキシブル配線基板１ｃは、配線部がパターン形成されたフレキシブル基板であり、第１の基板部１ａの配線部と第２の基板部１ｂの配線部とを電気的に接続する。
【００８９】
換言すると、第１の基板部１ａの裏面側に配設された信号処理ＩＣ４ａ、４ｂは、フレキシブル配線基板１ｃを介して、信号処理ＩＣ４ｃと電気信号の授受を行う。
【００９０】
以上、本実施形態に係るレーダ装置Ｕにおいては、フレキシブル配線基板１ｃを用いることにより、第１の基板部１ａと第２の基板部１ｂの配設位置をより柔軟に調整することができる。
【００９１】
（第６の実施形態）
図１１は、第５の実施形態に係るレーダ装置Ｕの搭載位置の一例を示す図である。
【００９２】
本実施形態に係るレーダ装置Ｕは、車両Ｃの車体天板部、車両Ｃの車体底部、又は、車両Ｃのサイドミラーに搭載されている点で、第１の実施形態に係るレーダ装置Ｕと相違する。尚、図１１中では、４つのレーダ装置Ｕが搭載されている。      
【００９３】
この点、本開示に係るレーダ装置Ｕは、横置き型であるため、上下方向の占有面積が小さくてよく、外部からも目立たなくなる。そこで、本実施形態においては、車両Ｃの車体天板部又は車両Ｃの車体底部といった従来では搭載位置として検討されていなかった位置に、当該レーダ装置Ｕを搭載する。
【００９４】
車両Ｃの車体天板部に搭載されたレーダ装置Ｕは、道路上に配設された物体Ｍ１（例えば、生け垣）に阻害されることなく、電磁波を遠方まで送信することか可能である。即ち、これによって、物体（例えば、生け垣）を超えて、ターゲット（例えば、人や乗り物）を検知することが可能となる。又、車両Ｃのサイドミラーに搭載されたレーダ装置Ｕについても、同様の効果を期待できる。
【００９５】
又、車両Ｃの車体底部に搭載されたレーダ装置Ｕは、他の車両Ｍ２の車体と道路との間のスペースを通過するように電磁波を送信することで、他の車両Ｍ２に阻害されることなく、電磁波を遠方まで送信することか可能である。即ち、これによって、他の車両Ｍ２を超えて、ターゲット（例えば、人や乗り物）を検知することが可能となる。
【００９６】
以上のように、本実施形態に係るレーダ装置Ｕによれば、他の物体に阻害されることなく電磁波を送信することができるため、Ｓ／Ｎ比を向上させることができるうえ、より遠方領域までターゲットの検出が可能となる。
【００９７】
（第７の実施形態）
図１２、図１３は、第６の実施形態に係るレーダ装置Ｕの構成の一例を示す側面断面図である。
【００９８】
本実施形態に係るレーダ装置Ｕは、アンテナ部（送信アンテナ２及び受信アンテナ３）から送信する電磁波の方向を、回路基板１の延在方向（即ち、筐体６の延在方向）に対して傾ける点で、第１の実施形態に係るレーダ装置Ｕと相違する。
【００９９】
図１２は、アンテナ部（送信アンテナ２及び受信アンテナ３）が、筐体６内において誘電体レンズ７の光軸から上方向側に偏位した位置に配設され、回路基板１の延在方向に対して下方向側に傾けて電磁波を送信する態様を示す。又、図１３は、アンテナ部（送信アンテナ２及び受信アンテナ３）が、筐体６内において誘電体レンズ７の光軸から下方向側に偏位した位置に配設され、回路基板１の延在方向に対して上方向側に傾けて電磁波を送信する態様を示す。
【０１００】
つまり、このような態様とすることによって、電磁波の送信方向を、筐体６の延在方向に対して、上方向又は下方向に傾ける。
【０１０１】
本実施形態に係るレーダ装置Ｕは、特に、第６の実施形態（図１１）で説明した態様において好適である。即ち、レーダ装置Ｕの搭載位置が車両Ｃの車体天板部である場合には、図１２のように、電磁波の送信方向を下方側に向けることで、筐体６の向きを変えずに見下ろすような視野を作ることができる。又、レーダ装置Ｕの搭載位置が、車両Ｃの車体底部である場合には、図１３のように、電磁波の送信方向を上方側に向けることで、電磁波が道路に反射することを抑制することができる。
【０１０２】
尚、本実施形態に係る誘電体レンズ７としては、光軸の方向が回路基板１の延在方向に対して傾けられたものや、又は、屈折率が光軸の上方と下方とで異なる態様のものが用いられてもよい。
【０１０３】
（その他の実施形態）
本発明は、上記実施形態に限らず、種々に変形態様が考えられる。
【０１０４】
上記実施形態では、回路基板１の構成の一例として、第１の基板部１ａの基板面が上下方向に延在し、第２の基板部１ｂの基板面が前後方向に延在する態様を示した。しかしながら、本発明においては、第１の基板部１ａの基板面は、上下方向からプラスＸ方向側又はマイナスＸ方向側に傾いた方向に延在してもよい。又、同様に、第２の基板部１ｂの基板面は、前後方向からプラスＺ方向側又はマイナスＺ方向側に傾いた方向に延在してもよい。
【０１０５】
又、上記実施形態では、レーダ装置Ｕの適用対象の一例として、車両を示した。しかしながら、本発明に係るレーダ装置Ｕの適用対象は、任意であり、回転翼機（例えば、ヘリコプター）又はロボット等にも適用し得る。
【０１０６】
以上、本発明の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【０１０７】
本開示に係るレーダ装置によれば、横置き型の装置構成としながら、高いアンテナ利得及び高い方位分解能を実現することができる。
【符号の説明】
【０１０８】
１  回路基板
１ａ  第１の基板部
１ｂ  第２の基板部
１ｃ  フレキシブル配線基板
２  送信アンテナ
３  受信アンテナ
４  信号処理ＩＣ
５  コネクタ
６  筐体
６ａ  窓部
６ｂ  接続部
７  誘電体レンズ
８  ブラケット
９  反射部
Ｕ  レーダ装置  
Ｂ  カバー部材
Ｃ  車両
【図１】
2020060483.tif 000003
【図２】
2020060483.tif 000004
【図３】
2020060483.tif 000005
【図４】
2020060483.tif 000006
【図５】
2020060483.tif 000007
【図６】
2020060483.tif 000008
【図７】
2020060483.tif 000009
【図８】
2020060483.tif 000010
【図９】
2020060483.tif 000011
【図１０】
2020060483.tif 000012
【図１１】
2020060483.tif 000013
【図１２】
2020060483.tif 000014
【図１３】
2020060483.tif 000015